【手続補正書】
【提出日】平成16年6月10日(2004.6.10)
【手続補正１】
【補正対象書類名】明細書
【補正対象項目名】全文
【補正方法】変更
【補正の内容】
【書類名】      明細書
【発明の名称】  遊技機
【特許請求の範囲】
【請求項１】支持枠体と、
同支持枠体に支持され少なくとも遊技面が形成された遊技機本体と、
同遊技機本体前面に配置され前記遊技面が露出される窓穴が形成された扉枠とを備え、同扉枠を前記支持枠体又は遊技機本体に対して開閉可能に取着した遊技機において、
前記扉枠を金属材料で構成するとともに、同扉枠前面には同扉枠とは別体で構成した合成樹脂製の装飾パネルを装着し、同装飾パネルが少なくとも同扉枠前面よりも前方に突出するようにしたことを特徴とする遊技機。
【請求項２】前記装飾パネルは窓孔を包囲するように装着されていることを特徴とする請求項１に記載の遊技機。
【請求項３】前記装飾パネルは前記扉枠背面側に配設された他の構成部材とともに締着部材にて固定されていることを特徴とする請求項１又は２に記載の遊技機。
【請求項４】金属材料で構成された前記扉枠の背面には同扉枠を補強する補強フレームが配設されていることを特徴とする請求項１〜３のいずれかに記載の遊技機。
【発明の詳細な説明】
【０００１】
【発明の属する技術分野】
本発明は遊技機に関し、特に扉枠に窓穴を形成し直接扉枠にガラス板を装着して遊技面を露出させるようにした遊技機に関するものである。
【０００２】
【従来の技術】
遊技機の一種である例えばパチンコ機において扉枠に窓穴を形成し、この窓穴に直接ガラス板を装着し遊技盤の遊技面をガラス板を介して露出させるようにした機種が存する。このタイプのパチンコ機では扉枠に対して更に窓枠を開閉可能に取着し、この窓枠にガラス板を装着したタイプのパチンコ機に比べデザイン的に自由度が大きくなるため、より斬新なパチンコ機の外観を創生することができる。
ところで、このような窓穴一体型の扉枠を構成する場合に従来では基本的に素材は合成樹脂製とされていた。しかし、合成樹脂で構成した場合には経年劣化で強度が衰えたり変色したりするという問題が生じていた。特に、昨今の風潮ではむやみに不要になった物を廃棄することは好ましくなく、この扉枠にも合成樹脂の代わりにより長持ちする素材が求められていた。そのため、扉枠を合金製鋼板をプレス打ち抜きで構成し、これを塗装して製造することが考えられる。
【０００３】
【発明が解決しようとする課題】
しかしながら、このような鋼板をプレス打ち抜きで扉枠を構成した製品については次のような問題が生ずる。
（１）合成樹脂製の扉枠では樹脂成形によって複雑な形状や模様を形成するのも比較的容易であるが、プレスによる場合にはあまり複雑な形状等とすることができない。
（２）扉枠を大きく開放すると隣接するパチンコ機に接触してしまう可能性があり、強く当たると着色した塗料が剥がれてしまう。
本発明は、このような従来の技術に存在する問題点に着目してなされたものである。その目的とするところは、デザイン的にすぐれかつ、傷つきにくい金属材料にて構成された扉枠を備えたパチンコ機を提供することにある。
【０００４】
【課題を解決するための手段】
上記の目的を達成するために、請求項１に記載の発明では、支持枠体と、同支持枠体に支持され少なくとも遊技面が形成された遊技機本体と、同遊技機本体前面に配置され前記遊技面が露出される窓穴が形成された扉枠とを備え、同扉枠を前記支持枠体又は遊技機本体に対して開閉可能に取着した遊技機において、前記扉枠を金属材料で構成するとともに、同扉枠前面には同扉枠とは別体で構成した合成樹脂製の装飾パネルを装着し、同装飾パネルが少なくとも同扉枠前面よりも前方に突出するようにしたことをその要旨とする。
請求項２に記載の発明では請求項１に記載の発明の構成に加え、前記装飾パネルを窓孔を包囲するように装着するようにしたことをその要旨とする。
請求項３に記載の発明では請求項１又は２に記載の発明の構成に加え、前記装飾パネルを前記扉枠背面側に配設された他の構成部材とともに締着部材にて固定するようにしたことをその要旨とする。
請求項４に記載の発明では請求項１〜３のいずれかに記載の発明の構成に加え、金属材料で構成された前記扉枠の背面に同扉枠を補強する補強フレームを配設するようにしたことをその要旨とする。
【０００５】
【発明の効果】  上記の発明では、扉枠が金属材料で構成されているため、丈夫であるとともに、扉枠自体に特徴的な模様・形状がなくとも装飾パネルを装着することによって十分デザイン的に優れた扉枠を得られることとなる。同時に装飾パネルが扉枠前面よりも前方に突出しているため扉枠を開放する際に装飾パネルによって周囲の物が直接扉枠に当たるのが防止され、塗料が剥がれ落ちる可能性が少なくなる。
【０００６】
【発明の実施の形態】
以下、本発明をパチンコ機に応用した実施の形態について図面に基づいて説明する。尚、以下の説明で前面側或いは表面側とは遊技者が正対する側をいい、後面側或いは背面側とはその反対側をいうものとする。
図１及び図２に示すように、パチンコ遊技機の支持枠体としての外枠１は上下左右の各枠板１ａ〜１ｄによって四角形に枠組みされた木製の枠体とされている。下部枠板１ｂ上面には幕板２が配設されている。図２に示すように、外枠１には遊技機本体としてのパチンコ機本体４が装着されている。パチンコ機本体４には遊技盤５が装着されている。図１及び図２に示すように、遊技盤５の前面にはほぼ垂直に配置された遊技面９が形成されている。遊技面９上には内レール１０、外レール１１、入賞口１２び可変表示装置１３等が所定位置に配置された遊技領域１４が形成されている。尚、釘については図示が省略されている。遊技盤５の背面側には可変表示装置１３や賞球の排出等を制御する図示しない遊技機構が配設され、同遊技機構の下方には図示しない遊技球発射機構が配設されている。
【０００７】
図１及び図２に示すように、遊技盤５の前面には扉枠１７が開閉可能に配設されている。扉枠１７は合金製の薄板をプレス成形して構成されており、全外周面が塗料にて吹き付け塗装されている。扉枠１７の幅はパチンコ遊技機全体の全幅とほぼ同等とされ、上端は上部枠板１ａの上端と面一とされている。扉枠１７には額縁状に略半円形状の窓穴１８が形成されている。扉枠１７には同窓穴１８を中心としてその外方に広がる平面に形成された第１の前面部１７ａと、同第１の前面部１７ａの左右上部角隅に形成され同第１の前面部１７ａ対して後方に段違いに形成された第２の前面部１７ｂが形成されている。図３に示すように、窓穴１８の上部及び下部にはそれぞれ掛止孔１９ａ、１９ｂが形成されている。また、窓穴１８の外周には所定間隔でネジ孔１９ｃが形成されている。
【０００８】
図４に示すように、扉枠１７の背面側には同窓穴１８の全周囲に渡って補強フレーム２０が配設されている。補強フレーム２０は四隅の取り付けブラケット２４ａ〜２４ｄを介して固定されている。同補強フレーム２０に重複するようにガラス板装着フレーム２１が配設されている。ガラス板装着フレーム２１にはガラス板２２が嵌め込まれている。図４及び図７に示すように、同ガラス板装着フレーム２１は左右及び下部レール２３ａ〜２３ｃを備えており、これらレール２３ａ〜２３ｃによって三方からガラス板２２を支持している。ガラス板装着レール２１上方はガラス板２２の挿入口２１ａとされており、挿入口２１ａ側から挿入されたガラス板２２は左右のレール２３ａ，２３ｂに案内されながら下降し左右及び下部レール２３ａ〜２３ｃによって支持される。
図４に示すように、扉枠１７の背面側右方上下端寄り（前面側からでは左方）には扉枠１７をパチンコ機本体４側に取着するための上部及び下部支持軸２５，２７が取り付けブラケット２４ｃ，２４ｄを介してそれぞれ上下方向に向かって突設されている。上部支持軸２５はコイルスプリング３１にて常時上方に付勢されており、下部支持軸２７は取り付けブラケット２４ｄに固着されている。扉枠１７を取着する際にはまず下部支持軸２７をパチンコ機本体４に装着された下部支持ブラケット３２ａに軸支させる。そして上部支持軸２５を上部支持ブラケット３２ｂに干渉しないように一旦押し下げてから支持ブラケット３２ｂに軸支させるようにする。扉枠１７は上部及び下部支持軸２５，２７によって片持ちに支持される。
【０００９】
図１、図３及び図５に示すように、第１の前面部１７ａの窓穴１８周縁には第１及び第２の装飾パネル３３，３４が装着されている。第２の前面部１７ｂには第３の装飾パネル３５が装着されている。第１の装飾パネル３３は窓穴１８の曲線部を包囲するアーチ状の合成樹脂製の部材とされ、上端に掛止フック３６が形成されるとともに、図５に示すように背面側にネジ孔３７が形成されている。第２の装飾パネル３４は窓穴１８下部の直線部に沿って配設される合成樹脂製の直線形状の部材とされ、下端に掛止フック３８が形成されるとともに、図５に示すように背面側にネジ孔３９が形成されている。第１及び第２の装飾パネル３３，３４は中空で半割の張り子状の成型品とされ、第１の前面部１７ａに装着された状態で同第１の前面部１７ａよりもさらに前方に突出する。尚、本実施の形態では第１及び第２の装飾パネル３３，３４を若干簡略化した外形として図示しているが、実際には種々の装飾がその外表面に施されている。
第３の装飾パネル３５は第２の前面部１７ｂの形状に対応した略三角形形状をなす合成樹脂製の部材とされ、背面側にネジ孔４０が形成されている。第３の装飾パネル３５は中空で半割の張り子状の成型品とされ、第２の前面部１７ｂに装着された状態で第１及び第２の前面部１７ａ，１７ｂよりもさらに前方に張り出している。
第１及び第２の装飾パネル３３，３４はそれぞれ掛止フック３６、３８を掛止孔１９ａ，１９ｂに掛止させ、ネジ４１にて扉枠１７背面側より締着されている。図７に示すように、左右の第３の装飾パネル３５は前記取り付けブラケット２４ａ、２４ｃとともにネジ４１にて扉枠１７背面側より締着されている。
【００１０】
扉枠１７の下方には上部カバープレート４５が装着されている。上部カバープレート４５はパチンコ機本体４に対して図示しないヒンジ金具によって片持ち支持され同パチンコ機本体４に対して開閉可能とされている。上部カバープレート４５は前方に突出した上受け皿４６を有している。上部カバープレート４５の下方には下部カバープレート４７が配設されている。下部カバープレート４７はパチンコ機本体４に対して固着されている。下部カバープレート４７は前方に突出した下受け皿４８を有している。下受け皿４８は主として上受け皿４６に貯留しきれなかった遊技球を貯留するものである。下受け皿４８の右側方には操作ハンドル４９が取付けられている。
【００１１】
このように構成することにより本実施の形態は次のような効果を奏する。
（１）上記実施の形態のパチンコ機では、扉枠１７を開いた場合に第１、第２又は第３の装飾パネル３３，３４，３５が第１及び第２の前面部１７ａ，１７ｂよりも前方に張り出しているため、扉枠１７を開き過ぎたとしても隣接するパチンコ機には上記装飾パネル３３，３４，３５が先に当接することとなり、扉枠１７自体が当たることがないためその塗装が剥がれるおそれがない。
（２）扉枠１７はプレス成形で外形形状を構成したためあまり複雑な形状とはできないところ、第１〜第３の装飾パネル３３，３４，３５を装着することによって全体としてデザイン的に優れた扉枠１７を得ることができる。
（３）特に傷つき易い窓穴１８周縁が第１及び第２の装飾パネル３３，３４によって包囲されているため傷つかない。
（４）第３の装飾パネル３５はネジ４１によって取り付けブラケット２４ａ、２４ｃとともに締着されているので第３の装飾パネル３５を取り付けるための別のネジ４１が不要となり部材点数が減るとともに装着作業時においてネジ４１による締着作業が少なくなる。更に、パチンコ機を廃棄する場合においても分解作業が簡略化されることとなる。
【００１２】
尚、この発明は、次のように変更して具体化することも可能である。
・窓穴１８の形状は変更可能である。また、上記実施の形態では窓穴１８全周に装飾パネルを装着していたが、必ずしも全周である必要はない。
・上記実施の形態では第１〜第３の装飾パネル３３，３４，３５は背面側からネジ４１で締着したが、前面側から締着するようにしてもよい。また、第１及び第２の装飾パネル３３，３４はそれぞれ掛止フック３６、３８を掛止孔１９ａ，１９ｂに掛止させていたがこのような掛止関係を設けずにネジ４１だけで装着するようにしても構わない。
・第１の前面部１７ａは平面であったが起伏があっても構わない。要は扉枠１７の開放時において第１〜第３の装飾パネル３３，３４，３５が周囲の物に当接するのであればよい。
・第３の装飾パネル３５は取り付けブラケット２４ａ、２４ｃとともに共締めしたが第３の装飾パネル３５単独でネジ４１で締着するようにしてももちろん構わない。
・金属素材の扉枠１７であれば更に上部カバープレート４５まで扉枠１７と一体に構成されたものでも構わない。
・ガラス板２２の嵌め込み手段については上記実施の形態に限定されない。
・本発明はパチンコ機以外にもアレパチ、アレンジボール等の遊技機にも応用可能である等その他、本発明の趣旨を逸脱しない態様で実施することは自由である。
【００１３】
上記実施の形態から把握できる本発明のその他の技術的思想について下記に付記として説明する。
（１）前記装飾パネルは窓孔を包囲するように装着されていることを特徴とする請求項１に記載の遊技機。
（２）前記装飾パネルは前記扉枠背面側に配設された他の構成部材とともに締着部材にて固定されていることを特徴とする請求項１又は付記１に記載の遊技機。
（３）支持枠体と、同支持枠体に支持され少なくとも遊技面が形成された遊技盤と遊技球発射機構とを備えた遊技機本体と、同遊技機本体前面に配置され同遊技機本体に対して開閉可能に取着されるとともに、窓穴が形成され同窓穴を覆うガラス板越しに前記遊技面が露出される扉枠とを備えた遊技機であって、
前記扉枠を前記支持枠体又は遊技機本体に対して開閉可能に取着し、同扉枠を金属材料で構成するとともに、同扉枠前面には同扉枠とは別体で構成した合成樹脂製の装飾パネルを装着し、同装飾パネルが少なくとも同扉枠前面よりも前方に突出するようにしたことを特徴とする遊技機用扉枠。
（４）前記装飾パネルは窓孔を包囲するように装着されていることを特徴とする付記３に記載の遊技機用扉枠。
（５）前記装飾パネルは前記扉枠背面側に配設された他の構成部材とともに締着部材にて固定されていることを特徴とする付記３又は付記４に記載の遊技機用扉枠。
【００１４】
【図面の簡単な説明】
【図１】  本発明の実施の形態のパチンコ機の正面図。
【図２】  同じパチンコ機において扉枠を開放した状態の斜視図。
【図３】  扉枠及び装飾パネルの分解斜視図。
【図４】  扉枠の背面図。
【図５】  装飾パネルの背面側の分解斜視図。
【図６】  （ａ）は図１のＡ−Ａ線における扉枠及び装飾パネルの断面図、（ｂ）は図１のＢ−Ｂ線における扉枠及び装飾パネルの断面図。
【図７】  同じパチンコ機におけるガラス板装着フレーム及び補強フレームの平面図。
【符号の説明】  １…支持枠体としての外枠、４…遊技機本体としてのパチンコ機本体、１７…扉枠、１８…窓穴、２２…ガラス板、３３〜３５…装飾パネル。